(57)【要約】【課題】シートの斜行修正後のレジストローラ対によるシートの搬送力がシート幅方向で不均一になるのを回避してシートに皺が発生するのを防止することができるシート給送装置を提供する。【解決手段】シート給送装置は、シートを一枚ずつ分離して搬送路に給送する分離給送部材６，７のシート給送方向の下流側に配置され、シートをニップ部に突き当ててシートの斜行を修正すると共に、斜行修正後にシートを挟持搬送するレジストローラ対９を備える。レジストローラ対９は、分離給送部材６，７とシート幅方向で略同位置に配置された一対の第１のローラ部材９ｂと、分離給送部材６，７とシート幅方向で異なる位置に配置された一対の第２のローラ部材９ｃとを有し、一対の第２のローラ部材９ｃによるシートの搬送力を一対の第１のローラ部材９ｃによるシートの搬送力より小さくする。【選択図】図２
2009242054.tif 000002
【特許請求の範囲】
【請求項１】
シートを一枚ずつ分離して搬送路に給送する分離給送部材と、該分離給送部材のシート給送方向の下流側に配置され、シートをニップ部に突き当ててシートの斜行を修正するとともに、斜行修正後にシートを挟持搬送する斜行修正用ローラ対と、を備え、
斜行修正用ローラ対は、前記分離給送部材とシート幅方向においてほぼ同位置に配置された一対の第１のローラ部材と、前記分離給送部材とシート幅方向において異なる位置に配置された一対の第２のローラ部材と、を有するシート給送装置において、
前記一対の第２のローラ部材によるシートの搬送力を前記一対の第１のローラ部材によるシートの搬送力より小さくした、ことを特徴とするシート給送装置。
【請求項２】
前記一対の第２のローラ部材のうちの少なくとも一方のローラ部材は、該一方のローラ部材のシート反給送方向の回転を許容するワンウェイクラッチを介してシート給送方向に回転駆動されるローラ軸に取り付けられる、ことを特徴とする請求項１に記載のシート給送装置。
【請求項３】
前記一対の第１のローラ部材のうちの一方のローラ部材が駆動側とされ、他方のローラ部材が前記一方のローラ部材から摩擦により回転力が伝達される従動側とされる、ことを特徴とする請求項１又は２に記載のシート給送装置。
【発明の詳細な説明】
【技術分野】
【０００１】
本発明は、例えば、複写機、ファクシミリおよびプリンタなどの画像形成装置やスキャナなどの画像読取装置に用いられるシート給送装置に関する。
【背景技術】
【０００２】
従来のこの種のシート給送装置においては、給紙部から給送ローラ及び分離ローラ等によって１枚ずつ分離して搬送路に給送されるシートは、下流側のレジストローラ対まで搬送される。レジストローラ対では、一時的に回転を停止させた状態でニップ部にシートの先端を突き当てることによりシートの斜行が修正されると共に、画像形成部又は画像読取部にシートを送り出すタイミングが取られる（特許文献１）。
【特許文献１】特開平６−３３６３５３号公報
【発明の開示】
【発明が解決しようとする課題】
【０００３】
ところで、レジストローラ対は、幅の広いシートの斜行を効果的に修正するために、シート幅方向に複数のローラ部材が配置されることが多い。この場合、複数のローラ部材の一部は、レジストローラ対のシート給送方向の上流側に配置された給送ローラ及び分離ローラ等に対してシート幅方向の外側の位置に配置される。
【０００４】
従って、シートの斜行修正後にレジストローラ対を駆動して画像形成部又は画像読取部にシートを送り出す際、レジストローラ対に挟持搬送されるシートの幅方向で給送ローラ及び分離ローラ等が配置された範囲に当該ローラ等からのバックテンションが作用する。このため、この範囲のレジストローラ対のシート搬送力が、その他のレジストローラ対のシート搬送力よりも小さくなり、シートに皺が発生する場合がある。
【０００５】
そこで、本発明は、レジストローラ対によるシートの搬送力、及び給送ローラと分離ローラ等からのバックテンションが互いに反対方向に引き合うことでシートに皺が発生するのを防止することができるシート給送装置を提供することを目的とする。
【課題を解決するための手段】
【０００６】
上記目的を達成するために、本発明のシート給送装置は、シートを一枚ずつ分離して搬送路に給送する分離給送部材と、該分離給送部材のシート給送方向の下流側に配置され、シートをニップ部に突き当ててシートの斜行を修正するとともに、斜行修正後にシートを挟持搬送する斜行修正用ローラ対と、を備え、斜行修正用ローラ対は、前記分離給送部材とシート幅方向においてほぼ同位置に配置された一対の第１のローラ部材と、前記分離給送部材とシート幅方向において異なる位置に配置された一対の第２のローラ部材と、を有するシート給送装置において、前記一対の第２のローラ部材によるシートの搬送力を前記一対の第１のローラ部材によるシートの搬送力より小さくした、ことを特徴とする。
【発明の効果】
【０００７】
本発明によれば、レジストローラ対によるシートの搬送がシート幅方向で不均一になるのを回避することができるので、シートに皺が発生するのを防止することができる。
【発明を実施するための最良の形態】
【０００８】
以下、本発明の実施形態を図面を参照して説明する。
【０００９】
（第１の実施形態）
図１は、本発明の第１の実施形態であるシート給送装置を備える画像読取装置を説明するための概略断面図である。
【００１０】
図１に示す画像読取装置１は、不図示のホストコンピュータユーザからの読取開始信号を受信すると、原稿台２に積載された原稿Ｄを検知ユニット３，４により検知した後、ピックアップローラ５を原稿Ｄに押し付けて回転させる。
【００１１】
これにより、原稿台２に積載された原稿Ｄが給送ローラ６及び分離ローラ７に送り込まれ、給送ローラ６及び分離ローラ７では、送り込まれた原稿Ｄを一枚ずつ分離して搬送路に給送する。ここで、本実施形態では、給送ローラ６及び分離ローラ７により本発明の分離給送部材を構成しているが、これに限定されない。
【００１２】
給送ローラ６及び分離ローラ７により搬送路に給送された原稿Ｄは、下流側のレジストローラ対（斜行修正用ローラ対）９に搬送される、レジストローラ対９では、一時的に回転が停止された状態で原稿Ｄの先端がニップ部に突き当てられることで斜行が修正される。斜行修正後の原稿Ｄは、レジストローラ対９が駆動されることで、該レジストローラ対９により挟持搬送されつつ、読取ユニット１０，１１の間を通過して表裏の画像がそれぞれ読み取られる。
【００１３】
このとき、不図示の制御部は、レジストセンサ８からの信号によりタイミングをとって、読取ユニット１０，１１の画像読取信号から画像データを生成する。読取ユニット１０，１１により表裏の画像が読取られた原稿Ｄは、排紙ローラ対１２によって挟持搬送されつつ装置外に排出される。
【００１４】
図２は、本実施形態のシート給送装置を構成するレジストローラ対９と給送ローラ６及び分離ローラ７とを示す斜視図である。
【００１５】
図２に示すように、レジストローラ対９は、上下一対のローラ軸９ａに、それぞれ複数のローラ部材（第１のローラ部材）９ｂ及びローラ部材（第２のローラ部材）９ｃが軸方向に所定の間隔で配置されている。
【００１６】
ローラ部材９ｂは、上下一対のローラ軸９ａに対してそれぞれ２個ずつ設けられており、軸方向（シート幅方向）において、給送ローラ６及び分離ローラ７とほぼ同位置に配置されて、ローラ軸９ａに固定されている。
【００１７】
一方、ローラ部材９ｃは、上下一対のローラ軸９ａに対してそれぞれ２個ずつ設けられており、軸方向（シート幅方向）において、給送ローラ６及び分離ローラ７の軸方向の両側に離間した位置でワンウェイクラッチ１５を介してローラ軸９ａに取り付けられている。ワンウェイクラッチ１５は、ローラ軸９ａの原稿Ｄの反給送方向（シート反給送方向）の回転のみをローラ部材９ｃに伝達可能な機能、即ちローラ部材９ｃのシート反給送方向の回転を許容する機能を有し、原稿Ｄが反給送方向に引っ張られたときに空転する構成となっている。
【００１８】
また、上下一対のローラ軸９ａのうち、下側のローラ軸９ａの端部には、駆動制御ユニット１４により駆動される駆動ギヤ１６ａが固定され、上側のローラ軸９ａの軸方向端部には、駆動ギヤ１９ａに噛合する従動ギヤ１６ｂが固定されている。駆動制御ユニット１４により駆動ギヤ１６ａを駆動することで、レジストローラ対９が原稿Ｄを給送する方向（シート給送方向）に回転駆動される。
【００１９】
次に、図３及び図４を参照して、本実施形態のシート給送装置の動作例について説明する。
【００２０】
まず、図３に示すように、給送ローラ６及び分離ローラ７によって一枚ずつ分離されて搬送路に給送された原稿Ｄは、斜行を修正するために、一時的に回転が停止しているレジストローラ対９のニップ部に先端が突き当てられる。
【００２１】
このとき、ローラ部材９ｃは、ワンウェイクラッチ１５により原稿Ｄの給送方向に回転することができない。従って、ローラ部材９ｃは、ローラ軸９ａに固定されているローラ部材９ｂと同様に、原稿の先端を突き当てる際に空転することなく抵抗となり、幅広い範囲で原稿Ｄの斜行を修正することができる。
【００２２】
そして、レジストセンサ８で原稿Ｄの先端を検知してから所定の時間後に駆動制御ユニット１４によりレジストローラ対９が回転駆動され、原稿Ｄが給送方向に搬送される。
【００２３】
ここで、レジストローラ対９のローラ軸９ａが原稿Ｄの給送方向に回転すると、ローラ部材９ｃは、ローラ軸９ａが原稿Ｄの給送方向に回転した分だけ回転することができる。しかし、ローラ軸９ａからの原稿Ｄの給送方向の駆動力は、ワンウェイクラッチ１５によりローラ部材９ｃに伝達されず、ローラ部材９ｃは空転可能であり、原稿Ｄの進行に連動して従動回転する。このため、図４に示すように、原稿Ｄはローラ部材９ｂのニップ部の搬送力Ｆのみで搬送されることになる。
【００２４】
このとき、原稿Ｄには給送ローラ６及び分離ローラ７によりバックテンションＴが働くが、給送ローラ６及び分離ローラ７と原稿Ｄの幅方向で異なる位置に配置されているローラ部材９ｃには原稿Ｄの搬送力が発生しない。また、原稿Ｄのローラ部材９ｃに挟持された部分が給送ローラ６及び分離ローラ７により引っ張られると、ローラ部材９ｃが空転するので、原稿Ｄの搬送が原稿Ｄの幅方向で不均一になるのを回避することができ、原稿Ｄに皺が発生するのを防止することができる。
【００２５】
（第２の実施形態）
次に、図５を参照して、本発明の第２の実施形態であるシート給送装置について説明する。なお、上記第１の実施形態と重複する部分については、図に同一符号を付して説明する。
【００２６】
本実施形態のシート給送装置は、図５に示すように、レジストローラ対９の上側のローラ軸９ａに４個のローラ部材９ｂが軸方向に所定の間隔で配置され、下側のローラ軸９ａに２個のローラ部材９ｂ及び２個のローラ部材９ｃが軸方向に所定の間隔で配置される。      
【００２７】
上側のローラ軸９ａに配置された４個のローラ部材９ｂのうち、中央の２個のローラ部材（第１のローラ部材）９ｂは、軸方向（シート幅方向）において、給送ローラ６及び分離ローラ７とほぼ同位置に配置される。また、上側のローラ軸９ａに配置された４個のローラ部材９ｂのうち、軸方向両側の２個のローラ部材（第２のローラ部材）９ｂは、給送ローラ６及び分離ローラ７の軸方向の両側に離間した位置に配置される。上側のローラ軸９ａに配置された４個のローラ部材９ｂは、いずれもローラ軸９ａに固定される。
【００２８】
一方、下側のローラ軸９ａに配置された２個のローラ部材（第１のローラ部材）９ｂは、軸方向（シート幅方向）において、給送ローラ６及び分離ローラ７とほぼ同じ位置に配置される。
【００２９】
また、下側のローラ軸９ａに配置された２個のローラ部材（第２のローラ部材）９ｃは、軸方向（シート幅方向）において、給送ローラ６及び分離ローラ７の軸方向の両側に離間した位置にそれぞれワンウェイクラッチ１５を介してローラ軸９ａに取り付けられる。ワンウェイクラッチ１５は、ローラ軸９ａの原稿Ｄの反給送方向の回転のみをローラ部材９ｃに伝達可能な機能を有し、原稿Ｄが反給送方向に引っ張られたときに空転する構成となっている。
【００３０】
また、上下一対のローラ軸９ａのうち、下側のローラ軸９ａの端部には、駆動制御ユニット１４が接続されている。駆動制御ユニット１４により下側のローラ軸９ａを駆動することで、駆動側である下側（一方）のローラ部材９ｂの回転力が従動側である上側（他方）のローラ部材９ｂに摩擦により伝達されて、レジストローラ対９が原稿Ｄを給送する方向に回転駆動される。
【００３１】
次に、本実施形態のシート給送装置の動作例について説明する。
【００３２】
まず、給送ローラ６及び分離ローラ７によって一枚ずつ分離されて搬送路に給送された原稿Ｄは、斜行を修正するために、一時的に回転が停止しているレジストローラ対９のニップ部に先端が突き当てられる。
【００３３】
このとき、下側のローラ軸９ａに取り付けられたローラ部材９ｃは、ワンウェイクラッチ１５により原稿Ｄの給送方向に回転することができない。従って、ローラ部材９ｃは、上下一対のローラ軸９ａに固定されているローラ部材９ｂと同様に、原稿の先端を突き当てる際に空転することなく抵抗となり、幅広い範囲で原稿Ｄの斜行を修正することができる。
【００３４】
そして、レジストセンサ８で原稿Ｄの先端を検知してから所定の時間後に駆動制御ユニット１４によりレジストローラ対９が回転駆動され、原稿Ｄが給送方向に搬送される。
【００３５】
ここで、レジストローラ対９の下側のローラ軸９ａが原稿Ｄの給送方向に回転すると、ローラ部材９ｃは、ローラ軸９ａが原稿Ｄの給送方向に回転した分だけ回転する。しかし、ローラ軸９ａからの原稿Ｄの給送方向の回転力は、ワンウェイクラッチ１５によりローラ部材９ｃに伝達されず、ローラ部材９ｃは空転可能であり、原稿Ｄの進行に連動して従動回転する。
【００３６】
このとき、原稿Ｄには給送ローラ６及び分離ローラ７によりバックテンションＴが働くが、給送ローラ６及び分離ローラ７と原稿Ｄの幅方向で異なる位置に配置されているローラ部材９ｃには原稿Ｄの搬送力が発生しない。また、原稿Ｄのローラ部材９ｃに接する部分の搬送は、上側のローラ部材９ｂで行われるので、原稿Ｄの搬送が原稿Ｄの幅方向で不均一になるのを回避することができ、原稿Ｄに皺が発生するのを防止することができる。
本実施形態において、上側のローラ軸９ａに対してローラ部材９ｃを回転自在に取り付けてもよい。
【００３７】
なお、本発明は上記各実施形態に例示したものに限定されるものではなく、本発明の要旨を逸脱しない範囲において適宜変更可能である。
【００３８】
例えば、上記各実施形態では、給送ローラ６及び分離ローラ７と原稿Ｄの幅方向で異なる位置に配置されているローラ部材９ｃをワンウェイクラッチ１５を介してローラ軸９ａに取り付けて、ローラ部材９ｃに搬送力が発生しないようにしたが、これに限定されない。
【００３９】
例えば、給送ローラ６及び分離ローラ７と原稿Ｄの幅方向で異なる位置に配置されているローラ部材をトルクリミッタ等を介してローラ軸に取り付ける等の方法も採用することができる。このようにしても、当該ローラ部材の搬送力を給送ローラ６及び分離ローラ７とほぼ同じ位置に配置されるローラ部材の搬送力より小さくすることができるので、上記同様の作用効果を得ることができる。
【００４０】
また、当該ローラ部材の駆動モータ等を別に設けるようにしてもよい。また、バックテンションＴの値よりも当該ローラ部材の搬送力を小さくすることが、好適である。
【図面の簡単な説明】
【００４１】
【図１】本発明の第１の実施形態であるシート給送装置を備える画像読取装置を説明するための概略断面図である。
【図２】シート給送装置を構成するレジストローラ対と給送ローラ及び分離ローラとを示す斜視図である。
【図３】シート給送装置の動作例を説明するための斜視図である。
【図４】シート給送装置の動作例を説明するための斜視図である。
【図５】本発明の第２の実施形態であるシート給送装置を説明するための斜視図である。
【符号の説明】
【００４２】
Ｄ  原稿
１  画像読取装置
２  原稿台
３，４  検知ユニット
５  ピックアップローラ
６  給送ローラ
７  分離ローラ
８  レジストセンサ
９  レジストローラ対
９ａ  ローラ軸
９ｂ  ローラ部材
９ｃ  ローラ部材
１０  読取ユニット
１１  読取ユニット
１２  排紙ローラ対
１４  駆動制御ユニット
１５  ワンウェイクラッチ
【図１】
2009242054.tif 000003
【図２】
2009242054.tif 000004
【図３】
2009242054.tif 000005
【図４】
2009242054.tif 000006
【図５】
2009242054.tif 000007